(57)【要約】      （修正有）【課題】高所にある箇所のカメラ撮影が容易に行われうるカメラ取付具を提供する。【解決手段】カメラ取付具２は、本体４、ボルト６、ナット８、アダプター１０及びロックナット１２を備えている。本体４は、その後端側にネジ穴１４を有している。このネジ穴１４に、延長棒のネジ部が螺入される。本体４は、貫通孔１８を備えている。この貫通孔１８に、ボルト６が通されている。このボルト６に、ナット８が螺入されている。アダプター１０は、胴部２０、首部２２及び軸ボルト２４を備えている。胴部２０は、その後端側にネジ穴２８を有している。このネジ穴２８に、ボルト６が螺入される。首部２２は、カメラスクリュー３０を備えている。このカメラスクリュー３０は、カメラの三脚穴に螺入される。【選択図】図２
0003173584.tif 000002
【実用新案登録請求の範囲】
【請求項１】
カメラを延長棒に取り付けるためのカメラ取付具であって、
本体と、上記カメラの三脚穴に螺入されうるカメラスクリューとを備えており、
上記本体が、延長棒の先端のネジが螺入されうるネジ穴を有しているカメラ取付具。
【請求項２】
カメラスクリューが、上記本体に対して着脱自在である請求項１に記載の取付具。
【請求項３】
上記本体の先端に突出するボルトをさらに備えており、このボルトに上記カメラスクリューが取り付けられており、上記カメラスクリューが上記本体から取り外されたときに上記ボルトが露出して、このボルトに任意の用具が螺合されうるように構成された請求項２に記載の取付具。
【考案の詳細な説明】
【技術分野】
【０００１】
本考案は、延長棒にカメラを取り付けるための取付具に関する。
【背景技術】
【０００２】
建築物の検査において、修理必要箇所が発見された場合、この修理必要箇所がカメラで撮影されることがある。修理必要箇所が高所である場合、検査者は、脚立等を用いて撮影を行う。この撮影は高所作業であり、検査者にとって負担となる。しかも、脚立等を常に持ち運ばなければならず、手間である。
【０００３】
カメラに脚が取り付けられれば、脚立がなくても、セルフタイマーを用いて高所の修理必要箇所の撮影がなされうる。しかし、この場合も、検査者は、カメラ専用の脚を準備する必要があり、手間である。
【考案の概要】
【考案が解決しようとする課題】
【０００４】
本考案の目的は、高所にある箇所のカメラ撮影が容易に行われうるカメラ取付具の提供にある。
【課題を解決するための手段】
【０００５】
本考案に係るカメラ取付具は、カメラを延長棒に取り付けるために用いられる。この取付具は、本体と、カメラの三脚穴に螺入されうるカメラスクリューとを備える。本体は、延長棒の先端のネジが螺入されうるネジ穴を有する。
【０００６】
好ましくは、カメラスクリューは、本体に対して着脱自在である。
【０００７】
好ましくは、この取付具は、本体の先端に突出するボルトをさらに備える。このボルトに、カメラスクリューが取り付けられている。カメラスクリューが本体から取り外されたときに、このボルトが露出する。このボルトに、任意の用具が螺合されうる。
【考案の効果】
【０００８】
本考案に係るカメラ取付具によれば、汎用の延長棒にカメラが取り付けられ得る。この取付具が用いられることにより、高所にある箇所のカメラ撮影が容易に行われうる。
【図面の簡単な説明】
【０００９】
【図１】図１は、本考案の一実施形態に係るカメラ取付具が示された正面図である。
【図２】図２は、図１の取付具が示された分解断面図である。
【図３】図３は、図１の取付具がカメラ及び延長棒と共に示された正面図である。
【図４】図４は、図１の取付具の使用状態が示された説明図である。
【考案を実施するための形態】
【００１０】
以下、適宜図面が参照されつつ、好ましい実施形態に基づいて本考案が詳細に説明される。
【００１１】
図１及び２に示されたカメラ取付具２は、本体４、ボルト６、ナット８、アダプター１０及びロックナット１２を備えている。図１及び２において、上側が先端側であり、下側が後端側である。
【００１２】
本体４は、合成樹脂からなる。本体４が、金属材料からなってもよい。本体４は、その後端側にネジ穴１４を有している。換言すれば、本体４の後端側は筒状である。このネジ穴１４の後端側には、雌ネジ１６が螺刻されている。
【００１３】
本体４はさらに、貫通孔１８を備えている。この貫通孔１８に、ボルト６が通されている。このボルト６の外周面には、雄ネジが螺刻されている。このボルト６に、ナット８が螺入されている。螺入により、ボルト６が本体４に固定されている。
【００１４】
アダプター１０は、胴部２０、首部２２及び軸ボルト２４を備えている。胴部２０は、ステンレススチール等の金属材料からなる。胴部２０は、その先端側に薄板部２６を備えている。胴部２０は、その後端側にネジ穴２８を有している。このネジ穴２８には、雌ネジが螺刻されている。この雌ネジは、ボルト６の雄ネジと螺合しうる。この螺合により、本体４にアダプター１０が装着されうる。アダプター１０は、本体４に対して着脱自在である。
【００１５】
首部２２は、ステンレススチール等の金属材料からなる。首部２２は、カメラスクリュー３０及び一対の脚３２を備えている。カメラスクリュー３０の外周面には、雄ネジが螺刻されている。この雄ネジは、カメラの三脚穴に螺刻された雌ネジと螺合しうる。カメラスクリュー３０は、胴部２０及びボルト６を介して、本体４に取り付けられている。他の手段により、カメラスクリュー３０が本体４に取り付けられてもよい。
【００１６】
一対の脚３２の間には、薄板部２６が挿入されている。軸ボルト２４は、一方の脚３２、薄板部２６及び他方の脚３２に螺入されている。この軸ボルト２４を軸として、首部２２は、胴部２０に対して揺動可能である。首部２２は、胴部２０に対して任意の角度で、この胴部２０に固定されうる。
【００１７】
ロックナット１２は、円盤状である。ロックナット１２は、合成樹脂からなる。ロックナット１２は、孔３４を備えている。この孔３４には、雌ネジが螺刻されている。この孔３４に、カメラスクリュー３０が螺入されている。ロックナット１２の外周面には、多数の溝３６が刻まれている。この溝３６により、外周面が凹凸状をなす。この凹凸は、滑り止めの役割を果たす。
【００１８】
図３は、図１の取付具２がカメラ３６及び延長棒３８と共に示された正面図である。カメラは、三脚穴３９を備えている。延長棒３８は、複数の節４０からなり、伸縮自在である。延長棒３８は、先端にネジ部４２を備えている。延長棒３８の主要部分は、アルミニウム合金製である。この延長棒３８は、軽量である。
【００１９】
この延長棒３８は、汎用品である。この延長棒３８には、塗装用ローラ、窓ふき用スクレーパー等が取り付けられうる。この延長棒３８は、建設業者、清掃業者、リフォーム業者等の間に、広く普及している。建築物の検査がなされる場所に、この延長棒３８はよく置かれている。建築物の検査を行う業者が、この延長棒３８をよく所有している。ネジのピッチ及び深さは、実質的に標準化されている。この延長棒３８は、「伸縮継柄」との商品名で販売されている。
【００２０】
図４は、図１の取付具２の使用状態が示された説明図である。この取付具２が使用されるには、まず、延長棒３８のネジ部４２（図３参照）が、取付具２のネジ穴１４（図２参照）に螺入される。螺入により、取付具２が延長棒３８に固定される。次に、アダプター１０のカメラスクリュー３０が、三脚穴３９に螺入される。螺入により、カメラ３６が取付具２に固定される。次に、ロックナット１２が回される。これにより、カメラ３６が取付具２に堅固に固定される。次に、胴部２０に対する首部２２の角度が調整される。次に、延長棒３８が任意の長さに伸張される。検査者４４は、カメラ３６をセルフタイマーモードに設定する。検査者４４は、シャッターボタンを押し、カメラ３６を修理必要箇所に向ける。所定時間経過後にシャッターが開いて、修理必要箇所が撮影される。
【００２１】
本考案に係る取付具２では、アダプター１０が本体４から取り外されると、ボルト６の先端が露出する。このボルト６により、取付具２に種々の用具が取り付けられうる。これらの用具は、延長棒３８により、高所に移動させられ得る。
【産業上の利用可能性】
【００２２】
本考案に係る取付具が用いられることにより、種々の用途における高所の撮影がなされうる。
【符号の説明】
【００２３】
２・・・取付具
４・・・本体
６・・・ボルト
１０・・・アダプター
１２・・・ロックナット
１４・・・ネジ穴
２０・・・胴部
２２・・・首部
３０・・・カメラスクリュー
３６・・・カメラ
３８・・・延長棒
４２・・・ネジ部
【図１】
0003173584.tif 000003
【図２】
0003173584.tif 000004
【図３】
0003173584.tif 000005
【図４】
0003173584.tif 000006